(57)【要約】【課題】キャッシュレジスターに、硬貨の種類別毎に合計金額を表示するとともに、硬貨全体の金額を表示するようにした。【解決手段】硬貨収容部を種類別に分けて、各収容部毎に秤で計量することにより、各種類別の硬貨の合計金額を表示し、これら各種類別の硬貨の合計を加算することで総計硬貨を表示するようにしたキャッシュレジスターの硬貨集計装置。【選択図】図４
2005063017.tif 000002
【特許請求の範囲】
【請求項１】
紙幣収納部と硬貨収納部を設けたキャッシュレジスターの金銭集計装置において、
前記硬貨収納部には仕切枠で仕切られた種類別の硬貨収容部を設け、各硬貨収容部の下部に種類別の硬貨ごとに重量を計量する計量手段を設け、前記各計量手段の重量を種類別の硬貨の合計金額に変換して表示する各硬貨別表示部と、これら各硬貨別表示部の合計金額を加算して表示する総計硬貨表示部とを、前記キャッシュレジスターの外部から確認できるように設けたことを特徴とするキャッシュレジスターの硬貨集計装置。
【請求項２】
前記計量手段が薄板状のロードセルであり、前記各硬貨別表示部の合計金額が各計量手段上に設置した硬貨容器の重量を差し引いたものである請求項１に記載のキャッシュレジスターの硬貨集計装置。
【請求項３】
前記各硬貨別表示部を、前記硬貨容器の上方面に設けたことを特徴とする請求項２に記載のキャッシュレジスターの硬貨集計装置。
【請求項４】
前記キャッシュレジスターに、前記総計硬貨表示部の金額と、前記紙幣収納部に収納した紙幣の合計金額とを加算した総合計金銭表示部を設けたことを特徴とする請求項１乃至３のいずれかに記載のキャッシュレジスターの硬貨集計装置。
【発明の詳細な説明】
【技術分野】
【０００１】
本発明は、キャッシュレジスターの硬貨集計装置、特に硬貨（小銭）の金額を常に外部から確認できるようにしているキャッシュレジスターの硬貨集計装置に関する。
【背景技術】
【０００２】
一般のキャッシュレジスターは、商品の金額を値札により直接確認するか、商品に付いているバーコードや二次元コードをコードリーダーにより読み取ることで、商品合計金額を表示器により表示するように構成したものが広く知られている。
そして、このキャッシュレジスターは簡単に引き出し（ドロワー）を本体から抜き出すことができるために、部内のオペレーターや強盗などによる金銭の抜き取りを防止できない。そのめに、施錠によりドロワーの開閉を不可能にして、顧客からの金銭を外部から金銭投入口に投入すると同時に、釣銭を釣銭排出口から排出するようにしたものがある（特許文献１）。
【０００３】
また、キャッシュレジスターの硬貨収容部の壁面を斜め上方に向って傾斜させ、収容すべき硬貨の種類（１円、５円、１０円、５０円、１００円、５００円）に応じて適合するサイズ（内径）を有する樋状の硬貨溝を設けるとともに、該溝には硬貨数読み取り用目盛を設けることにより、各溝に重ねられた硬貨の高さから各硬貨と硬貨合計金額を知ることができるようにしたものもある（特許文献２）。
【特許文献１】特開２００２−５６４６１号公報
【特許文献２】登録実用新案第３０１８６３７号公報
【発明の開示】
【発明が解決しようとする課題】
【０００４】
この発明が解決しようとする課題は、特許文献１のように、ドロワーの引き出しを禁止しているために防犯上は便利ではあるものの、釣銭が硬貨収容部にいくら残っているか判らないために、例えば数種類ある硬貨の１つが足りなくなると、釣銭の補充が行なわれる時間までキャッシュレジスター機能全体が失なわれるという問題点がある。
また、特許文献２では釣銭の補充は容易であり、硬貨の種類毎に硬貨溝に積み重ねて硬貨数読み取り用目盛で硬貨の合計金額を確認することができるものの、確認の都度ドロワーを引き出す必要がある煩わしさを避けることができないばかりか、確認作業が各硬貨ごとに集計しなければならないために時間が掛り面倒な上、現金を扱うアルバイトや従業員の交替が不正の温床になるといった問題点があることも否めない。
【０００５】
そこで、本発明は上記問題点を解決せんとするものであり、通常３〜５時間おきにキャッシュレジスターの現金を集計する場合、そのレジ内の各種小銭が幾らあるのかを外部から確認することができ、これにより金銭の状況を常に監視できる状況を作り出して、心理的、物理的にアルバイトや従業員などの不正を防止する抑止力が機能する。また、レジスターの金額を種別に集計したものが外部に表示されるので金銭の確認作業の時間を短縮するといった便利さもある。
【課題を解決するための手段】
【０００６】
本発明は、上記課題を解決するためになされたもので、その要旨は、紙幣収納部と硬貨収納部を設けたキャッシュレジスターの金銭集計装置において、前記硬貨収納部には仕切枠で仕切られた種類別の硬貨収容部を設け、各硬貨収容部の下部に種類別の硬貨ごとに重量を計量する計量手段を設け、前記各計量手段の重量を種類別の硬貨の合計金額に変換して表示する各硬貨別表示部と、これら各硬貨別表示部の合計金額を加算して表示する総計硬貨表示部とを、前記キャッシュレジスターの外部から確認できるように設けたことを特徴とするキャッシュレジスターの硬貨集計装置にある。
上記発明では、硬貨の種別毎に０枚以上の重量を電磁微量天秤や電子式はかりなどの計量手段上に計り、これを予め種別硬貨の重量を記憶素子（チップ）で予め記憶しておいて、これと具体的な個数（０個、１個、２個・・・・）を積算するか、種別硬貨毎に個数を乗じて金額を算出することにより、各種類別の硬貨の合計金額を表示する各硬貨別表示部と、これら各硬貨別表示部の合計金額を加算して表示する総計硬貨表示部とを、それぞれ各別にキャッシュレジスターに表示するか、同一表示部に切換えスイツチにより交互に表示する。
【０００７】
別の本発明として、前記計量手段の秤が０．００１ｇ以上軽量できる薄板状のロードセルであり、前記各硬貨別表示部の合計金額が各計量手段上に設置した硬貨容器の重量を差し引いたものである請求項１に記載のキャッシュレジスターの硬貨集計装置がある。
独立行政法人造幣局の製造した硬貨には１円アルミニウム１ｇ、５円黄銅３．７５ｇ、１０円青銅４．５ｇ、５０円白銅４ｇ、１００円白銅４．８ｇ、５００円ニッケル黄銅７ｇの各種があるが、上記発明によれば計量手段が０．００１ｇ以上計量することができるロードセルを用いているために、１番軽い１円であっても流通している実際の各１円の重量の最大誤差が例えば１０分の１としても、この最大誤差（全てプラス１０分の１か全てマイナス１０分の１）で切り捨てても１００枚の許容があるために十分に計量できる。
また、各種硬貨は直接秤上の重量を計量してもよいが、秤上に硬貨容器を設置してその重量を予め差し引いたものを各硬貨別表示部の硬貨合計金額として表示されるようにしておくこともできる。
【０００８】
また、前記したキャッシュレジスターの各硬貨別表示部を各天秤などの計量手段の上方面に設けることで、各種類別の硬貨の合計金額を外部から容易に確認することができる。
さらに、キャッシュレジスターには、総計硬貨表示部の他に、紙幣の方も直接キーボードで打ち込んでこれらのトータルと合計することにより、紙幣も加えた総合計金銭表示部を設けることもできる。
【発明の効果】
【０００９】
本発明は、少なくとも各種ある硬貨を種別毎に収容する硬貨収容部を設け、各収容部の下部の計量手段に載せた硬貨の重量を計量し、各計量手段にある硬貨の重量から合計金額を表示するとともに、その各秤の合計金額を加算した総計硬貨額を表示するために、現在ある１円、５円・・・・の各種硬貨金額と、これら各種硬貨金額の合計をそれぞれ表示してキャッシュレジスターの外部から確認できるようにした。
したがって、上記構成によれば、硬貨の合計金額を時間を掛けることなく、キャッシュレジスターの外部から容易に確認することができる。また、硬貨量の状況や、硬貨合計金額を常に外部から確認できるために、これらを窃盗することは、その際に金額を減じることになり、従業員やアルバイトなどの不正に対する抑止力が働く。
【００１０】
また、別の本発明はロードセルを用いることで、流通している硬貨の重量誤差があっても、例えば０．１ｇ以下を切り捨てることで十分実用性に沿うことができる。また、秤上に硬貨容器を備えた場合には、同容器の重量を予め差し引いておいて計算することもできる。
さらに、他の本発明では各硬貨別表示部を、各種別の硬貨収納部のキャッシュレジスターの上面に設けることで、各種硬貨のそれぞれの合計をドロワーを引き出すことなく確認することもできる。
さらにまた、上記各種硬貨の合計を加算した合計金額と、この合計金額と紙幣の合計金額を加算していたものを加えた総合計金銭表示部とを、各別のディスプレイに或いは切換えスイッチで同一ディスプレイにキャッシュレジスターの表面に交互に表示することもできる。
【発明を実施するための最良の形態】
【００１１】
本発明であるキャッシュレジスターの硬化集計装置の最良の形態は、硬貨の種別毎に重量を図ることでその硬貨の枚数を算出することでキャッシュレジスター上の合計金額を各硬貨別表示部に表示するとともに、各硬貨別表示部の全てを加算することにより全ての硬貨金額をキャッシュレジスター上の総計硬貨表示部に表示するようにしたことにある。
【実施例】
【００１２】
本発明の好ましい実施例を添付図面により以下に説明する。
図１において、１は硬貨（小銭）と紙幣の内蔵型（一体型）キャッシュレジスターの全体図であり、上半分は通常のレジスターであり、本発明は下半分中のドロワー１２に要部がある。２は紙幣収納部であり、上半分１３におけるキーボード４により顧客との商品売り上げの際に戴いた紙幣（図示せず）や硬貨を打ち込むようにしている。
３は本発明の主要部の一部であって、左から１円、５円、１０円、５０円、１００円、５００円の各硬貨を入れる図５で示す仕切枠５で仕切られた６個の硬貨収容部である。この硬貨収納部３には、それぞれロードセル（Ａ，Ｂ，Ｃ，Ｄ，Ｅ，Ｆ）６が設置され、各ロードセル６の上に各種硬貨別に硬貨を入れる硬貨容器７が載置されている。また、ひずみゲージを採用したロードビーム型のロードセル６（（株）センサーシステム製）に硬貨を載せたそれぞれの荷重値を電気信号として検出され（図２乃至図４に示す）、たとえば１円（１ｇ）が５０個（５０円）の重さ（予め硬貨容器７の重さを差し引いておいた）５０ｇが重量表示部９に表示され、５０ｇ＝５０円の交換器（図示せず）にかけて１円玉の合計が５０円として各硬貨別表示部８の合計金額として表示される。このようにして５円硬貨（３．７５ｇ）３０枚が重量表示部９で１１２．５ｇと表示されるとともに、交換器にかけて５円玉の合計が１５０円として各種硬貨を収納した硬貨容器の上面に外部から見える各硬貨表示部８に表示される。同様に、１０円、５０円、１００円及び５００円がそれぞれ３０個（３００円）、２０個（１０００円）、１５個（１５００円）、６個（３０００円）として各硬貨別表示部８にそれぞれ表示される。このようにして、各硬貨別表示部８の金額を加算して６０００円が総計硬貨表示部１０に表示される。
【００１３】
なお、この総計硬貨表示部１０は常態において表示されているものであり、これとは別に切換ボタン１１を押すことにより、前記キーボード４で予め或いは入金後所定時間毎に計算して記憶しておいた紙幣の合計を総計硬貨表示部１０と加算することにより、総合計金銭表示部として切り換え表示する。
【図面の簡単な説明】
【００１４】
【図１】本発明である上半分のレジスターと下半分のドロワーを一体にしたキャッシュレジスターの硬貨集計装置の一部透視した全体斜視図である。
【図２】図１のドロワー部分の説明図である。
【図３】図２の秤上に硬貨容器中に各種硬貨を入れた拡大図である。
【図４】図１とは別の上半分のレジスターとした半分のドロワーを分離可能にしたキャッシュレジスターの分解図である。
【図５】図１の秤上に硬貨容器を載置した説明図である。
【符号の説明】
【００１５】
１    キャッシュレジスター
３    硬貨収納部
６    ロードセル
７    硬貨容器
８    各硬貨別表示部
１０  総計硬貨表示部
【図１】
2005063017.tif 000003
【図２】
2005063017.tif 000004
【図３】
2005063017.tif 000005
【図４】
2005063017.tif 000006
【図５】
2005063017.tif 000007